(57)【要約】【課題】ユーザの入力手数が少ないにもかかわらず、十分な多数の情報を扱うことを可能とする。【解決手段】使用セル判定部は、コード受付インターフェイスから数字などが入力されたセルの情報を取得し、使用セル位置情報として「Ａ１」「Ｂ２」「Ｂ３」「Ｃ３」のようなデータを生成する。入力データ取得部は、コード受付インターフェイスから入力されたデータを取得し、入力データとしてたとえば「１」「２」「３」「４」のようにデータを生成する。コード生成部は、使用セル判定部および入力データ取得部からそれぞれ出力されたデータを受け取り、これらデータを用いて情報識別子取得コードを生成する。【選択図】　　図１
2004126970.tif 000002
【特許請求の範囲】
【請求項１】
マトリクス状に配置された複数のセルを利用したコード入力インターフェイスにおいて、
使用セル位置情報と入力されたコードを用いて情報識別子取得コードを生成することを特徴とする、コード入力インターフェイス。
【請求項２】
マトリクス状に配置された複数のセルを用いるコード入力インターフェイスから、使用セルの情報を取得する使用セル判定部と、
前記コード入力インターフェイスに入力されたデータを取得する入力データ取得部と、
前記使用セル判定部から使用セルの情報を受け取るとともに、前記入力データ取得部から入力されたデータを受け取り、これらを用いて情報識別子を取得するための情報識別子取得コードを生成するコード生成部と
を有することを特徴とする情報識別子取得システム。
【請求項３】
マトリクス上に配置された複数のセルを用いるコード入力インターフェイスにおいて使用セル及びその順番を定めるための第１のコードを受け取り、この第１のコードに基づいて使用セル位置及びその順番の情報を取得する使用セル位置及び順番判定部と、
前記コード入力インターフェイスに入力された第２のコードを取得する入力データ取得部と、
前記使用セル位置及び順番判定部から使用セル位置及び順番の情報を受け取るとともに、前記入力データ取得部から第２のコードを受け取り、これらを用いて情報識別子を取得するための情報識別子取得コードを生成する、コード生成部とを有することを特徴とする情報識別子取得システム。
【請求項４】
請求項３に記載のシステムにおいて、
前記使用セル位置及び順番判定部は、押下されたキーの種類及びその順番に基づいて使用セル位置及び順番の情報を取得することを特徴とする、情報識別子取得システム。
【発明の詳細な説明】
【０００１】
【発明の属する技術分野】
本発明は、マトリクス状に配置された複数のセルを利用したコード入力インターフェイス、及びこれを利用した情報識別子取得システムなどに関する。
【０００２】
【従来の技術】
近年におけるコンピュータ及び通信技術の発展に伴い、ＷＷＷ（ｗｏｒｌｄ　ｗｉｄｅ　ｗｅｂ）などのネットワーク上に構築されたホームページ（ウェブサイト、Ｗｅｂ文書ともいう）などから様々な情報を取得することが可能となっている。
【０００３】
ユーザ所望のホームページにアクセスするための技術としては、当該ホームページに対応するＵＬＲ（ｕｎｉｆｏｒｍ　ｒｅｓｏｕｒｃｅ　ｌｏｃａｔｏｒ）をＷｅｂ閲覧ソフトウエア（ブラウザ）に入力する方法がある。このＵＲＬは、一般に長く複雑な文字列であり、一文字も間違えることなく性格に入力する必要があるため、ＵＲＬを直接ブラウザに入力して所望のホームページなどにアクセスするには障害がある。
【０００４】
さらに、インターネットの発展・普及によりホームページの数が予想を上回って増加しているために、ＵＲＬはますます長く複雑なものとなってきている。そのため、ユーザにとってお気に入りのホームページなどのＵＲＬを覚えることはもちろん、新聞、雑誌、広告などの媒体に表示されたＵＲＬを入力して所望のホームページをブラウザで閲覧することも、大変になってきている。
【０００５】
かかるＵＲＬの入力の問題を解決する技術として、個々のＵＲＬにあらかじめ割り当てられた簡易アドレス（たとえば、複数桁の数字列など）を入力すると、あらかじめＵＲＬと簡易アドレスの変換を記憶させた記憶システムが、この簡易アドレスを対応するＵＲＬに変換して、ユーザのコンピュータなどはこのＵＲＬを受け取り所望のホームページを検索し、表示するという技術がある（たとえば、特許文献１参照）。
【０００６】
【特許文献１】特開２００２−２４１１７号公報、段落００２７〜００２８，図１）
【発明が解決しようとする課題】
上記のような簡易アドレスを用いることにより、ユーザの入力の負担は軽減されるが、ユーザの利用頻度を向上させるためには、ユーザの入力の負担をできる限り軽減するよう、より短い簡易アドレスとすることが好ましい。
【０００７】
しかし、簡易アドレスが短くなると扱える情報の種類が少なくなってしまうという問題がある。たとえば、４桁の数字列からなる簡易アドレスの扱える情報の種類は、１０×１０×１０×１０＝１０，０００通りであり、扱える情報が限られてしまう。これでは、数万〜数十万の情報を取り扱うことができず、利用範囲が限られてしまうことになる。
【０００８】
本発明の目的は、ユーザの入力手数が少ないにもかかわらず、十分な数の情報を扱うことが可能な情報取得システムもしくはこのシステムのためのコード入力、生成システムを提供することにある。
【０００９】
【課題を解決するための手段】
本発明の第１の態様によれば、マトリクス状に配置された複数のセルを利用したコード入力インターフェイスにおいて、使用セル位置情報と、入力されたコードをと用いて情報識別子取得コードを生成することを特徴とする、コード入力インターフェイスが実現される。
【００１０】
本発明の第２の態様によれば、マトリクス上に配置された複数のセルを用いるコード入力インターフェイスから、使用セルの情報を取得する使用セル判定部と、前記コード入力インターフェイスに入力されたデータを取得する入力データ取得部と、前記使用セル判定部から使用セルの情報を受け取るとともに、前記入力データ取得部から入力されたデータを受け取り、これらを用いて情報識別子を取得する為夫情報識別子取得コードを生成する、情報識別子取得システムが実現される。
【００１１】
本発明の第３の態様によれば、マトリクス上に配置された複数のセルを用いるコード入力インターフェイスにおいて使用セル及びその順番を定めるための第１のコードを受け取り、この第１のコードに基づいて使用セル位置及びその順番の情報を取得する使用セル位置及び順番判定部と、前記コード入力インターフェイスに入力された第２のコードを取得する入力データ取得部と、前記使用セル位置及び順番判定部から使用セル位置及び順番の情報を受け取るとともに、前記入力データ取得部から第２のコードを受け取り、これらを用いて情報識別子を取得するための情報識別子取得コードを生成する、情報識別子取得システムが実現される。
【００１２】
【発明の実施の形態】
以下、本発明の実施の形態を、図面を参照しながら説明する。
【００１３】
［第１の実施の形態］
本発明の第１の実施の形態は、Ｍ行Ｎ列のセル配列であるマトリクスボックスのうちａ個（１＜ａ≦ＭＮ；Ｍ，Ｎは自然数）のセルに０から９の数字を入力することによって、情報識別子を得るためのコードを生成するシステムである。なお、本説明では、Ｍ＝Ｎ＝３である場合を説明するが、かならずしもＭ＝Ｎとならなくとも本実施の形態は実現可能である。また、本説明では、入力されるデータは０から９の数字であるものとして説明するが、本実施の形態は、情報処理装置で扱うことが可能なデータであれば数字以外のものであっても、使用可能である。たとえば、アルファベット、かな、平仮名、漢字、記号、これらの組み合わせをマトリクスボックスに入力できるようにしてもよい。また、本実施の形態は、セルが三次元配列、たとえば、Ｍ行Ｎ列、高さＬであるセル配列を用いても実現可能である。
【００１４】
図１（Ａ）は、ユーザ（本システムを用いて情報を取得しようとする者）に提示される本システムのコード表示である。このコード表示は、ユーザが情報を得たいものと対応づけて配置されることが好ましい。たとえば、スーパーマーケットに実際に展示される商品であればその近傍にポップとして提示し、広告中に掲載された商品については、当該広告に表示することが考えられる。
【００１５】
ユーザはこのコード表示に従って、本システムを実行可能な情報処理装置（たとえば、パソコン、携帯電話機、移動端末装置、ＰＤＡ（Ｐｅｒｓｏｎａｌ　Ｄａｔａ　Ａｓｓｉｓｔａｎｔ）など）に入力を行う。図１（Ｂ）は、図１（Ａ）のコードを入力した状態での、情報処理装置が表示する入力インターフェイス画面例である。ユーザは、コード表示に従って、対応するセルに対応する数字を入力する。ユーザが送信ボタンをクリック等すると、情報処理装置のコード処理機能が働き、このコードに対応する情報識別子（所望の情報に対応付けされた、識別情報をいう。たとえば、ＵＲＬ（ｕｎｉｆｏｒｍ　ｒｅｓｏｕｒｃｅ　ｌｏｃａｔｏｒ）、ＵＲＩ（ｕｎｉｆｏｒｍ　ｒｅｓｏｕｒｃｅ　ｉｄｅｎｔｉｆｉｅｒ）、ＩＰアドレス、商品コード、バーコードなど）を取得するように働く。
【００１６】
図２（Ａ）は、マトリクスボックスにコードが入力されることによって生成される情報識別子取得コードの構成例を示す図である。情報識別子取得コードは情報識別子と一対一の対応関係であり、情報識別子取得コードが定まれば、対応する情報識別も定まるようになっている。
【００１７】
情報識別子取得コードは、使用セル位置情報と、入力された数値列とで構成される。
【００１８】
図２（Ｂ）は、図１（Ｂ）の入力例に対応する情報識別子取得コードの例を示している。まず、使用セル位置情報として「Ａ１」「Ｂ２」「Ｂ３」「Ｃ３」という情報と、これに続いて実際に入力された数値列「１」「２」「３」「４」とにより情報識別子取得コードが構成される。
【００１９】
かかるマトリクスボックスを用いたコードを使用することにより、単に数字を連続してなるコードに比べて、より多くの情報を扱うことが可能となる。たとえば、４つの数字からなるコードは、単純に並べる場合は１０４通りであるが、図１，２のように３×３のマトリクスボックスを用いる場合は、同一の４つの数字を使用する場合であっても９のセルのうちどの４つのセルを使用するかによって、異なる。
【００２０】
図３は、３×３のマトリクスボックスを用いる場合、１つのセルのみを使用する場合から９つのセル全部を使用する場合に使用可能な組み合わせ数を示す表である。
【００２１】
次に、上記情報識別子取得コードを用いて情報識別子を取得するためのシステムについて図４を参照しながら説明する。図４は、上記情報識別子取得コードを用いて情報識別子を取得するためのシステムの構成例を示すブロック図である。
【００２２】
入力手段４０１は、キーボードや、ポインティングデバイスなどの入力装置である。入力手段から入力された情報はコード受付インターフェイス４０２に渡される。コード受付インターフェイス４０２は、たとえば図１（Ｂ）に示すようなインターフェイスである。使用セル判定部４０３は、コード受付インターフェイス４０２から数字などが入力されたセルの情報を取得し、使用セル位置情報として「Ａ１」「Ｂ２」「Ｂ３」「Ｃ３」のようなデータを生成する。入力データ取得部４０４は、コード受付インターフェイス４０２から入力されたデータを取得し、入力データとしてたとえば「１」「２」「３」「４」のようにデータを生成する。
【００２３】
コード生成部４０５は、使用セル判定部４０３および入力データ取得部４０４からそれぞれ出力されたデータを受け取り、これらデータを用いて情報識別子取得コードを生成する。
【００２４】
コード生成部４０５は、生成した情報識別子取得コードを情報識別子変換部４０６に渡す。情報識別子変換部４０６は、変換テーブル４０７を参照して情報識別子取得コードに対応する情報識別子を取得し、これを出力する。
【００２５】
変換テーブル４０７は、情報識別子取得コードと情報識別子との一対一の対応関係を記録したテーブルである。図５は、３×３のマトリクスに４つの数字を用いる場合の変換テーブルの構成例を示している。なお、マトリクスに入力される数字などは常に同一の個数でなくともよい。図６は、３×３のマトリクスに１つから９つの数字をすべて用いる場合の変換テーブルの構成例を示している。
【００２６】
さて、本システムは、ユーザが用いるクライアントと、このクライアントが接続可能なＷＷＷ（ｗｏｒｌｄ　ｗｉｄｅ　ｗｅｂ）などのネットワークとにより構成されてもよい。図７は、クライアントとネットワークにより構成された本実施の形態にかかる情報取得システムの構成例を示すブロック図である。
【００２７】
クライアントには、図４において説明したところの入力手段４０１、コード受付インターフェイス４０２、使用セル判定部４０３、入力データ取得部４０４、コード生成部４０５とともに、情報識別子変換部４０６から情報識別子を受け取り、この情報識別子をネットワーク上に送信して、情報識別子により指定される情報（たとえばＨＴＭＬにより記述されたＷｅｂ文書データ）を取得し、これを表示手段７０２に表示させるブラウザ７０１を有している。
【００２８】
一方、ネットワーク上には変換テーブル４０７、情報識別子変換部４０６が設けられる。
【００２９】
このようなネットワークを利用した構成とすることにより、ネットワーク上に存在する膨大な種類の情報を、少ない入力手数（たとえば、マトリクスボックス内に４つの数字を入力するという手数）によって、扱うことが可能となる。
【００３０】
［第２の実施の形態］
次に、本発明の第２の実施の形態について説明する。
【００３１】
第２の実施の形態では、マトリクス中のの使用セルおよび順番を定めるためのコード（以下、「第１のコード」という）とともに、前記マトリクスコードを用いることを特徴とする。なお、マトリクスボックスに入力されるデータを前記第１のコードと区別するため、「第２のコード」と呼ぶこととする。
【００３２】
図８は、ユーザに提示される本実施の形態におけるコード表示である。このコード表示は、第１のコード８０１と、第２のコード８０２（マトリクスコード）とが表示される。その他については、第１の実施の場合と同様である。
【００３３】
図９（Ａ）（Ｂ）は、本実施の形態における情報処理装置が表示する入力インターフェイス画面例である。図９（Ａ）は、第１のコードを受け付ける入力インターフェイスの例を示す図であり、図９（Ｂ）は、第２のコードを受け付ける入力インターフェイスの例を示す図である。
【００３４】
まず、ユーザは、図８のようなコード表示に従って、第１のコードを入力し、送信ボタンを押す。すると、ユーザの情報処理装置は、図９（Ａ）の画面から図９（Ｂ）の画面に遷移する。ユーザは、図９（Ｂ）のような入力インターフェイスに従って対応するセルに対応する数字を入力する。ユーザが送信ボタンをクリック等すると、情報処理装置のコード処理機能が働き、このコードに対応する情報識別子（所望の情報に対応付けされた、識別情報をいう。たとえば、ＵＲＬ（ｕｎｉｆｏｒｍ　ｒｅｓｏｕｒｃｅ　ｌｏｃａｔｏｒ）、ＵＲＩ（ｕｎｉｆｏｒｍ　ｒｅｓｏｕｒｃｅ　ｉｄｅｎｔｉｆｉｅｒ）、ＩＰアドレス、商品コード、バーコードなど）を取得するように働く。
【００３５】
図１０は、本実施の形態におけるコードの入力から情報取得までの概略処理例を示すフロー図である。
【００３６】
まず、第１のコードの受付を行う（Ｓ１００１）。この第１のコードに従って、マトリクスボックスにおける使用セル及び使用セルの順番が決定する（Ｓ１００２）。次に、ステップＳ１００２によって定まった使用セルに第２のコードを入力する。
【００３７】
次に、第１のコード及び第２のコードから情報識別子取得コードを生成する（Ｓ１００４）。この情報識別子取得コードに基づいて情報識別子を取得する（Ｓ１００５）。最後に、情報識別子に対応する情報を取得する（Ｓ１００６）。
【００３８】
図１１（Ａ）は、第１及び第２のコードが入力されることによって生成される情報識別子取得コードの構成例を示す図である。情報識別子取得コードは情報識別子と一対一の対応関係であり、情報識別子取得コードが定まれば、対応する情報識別も定まるようになっている。本実施の形態における情報識別子取得コードは、使用セル位置情報と、指定された順番によって配列された第２のコードとで構成される。図１１（Ｂ）は、図８の入力例に対応する情報識別子取得コードの例を示している。まず、使用セル位置情報として「Ａ１」「Ｂ２」「Ｂ３」「Ｃ３」という情報と、これに続いて第２のコードとして入力された数値「１」「２」「３」「４」とが第１のコードによって定まった順番（「Ｃ３」「Ａ１」「Ｂ２」「Ｂ３」であるものとする）に従って配列された「４」「１」「２」「３」により情報識別子取得コードが構成される。
【００３９】
図１２（Ａ）（Ｂ）は、図１１に示す例とは異なる第１及び第２のコードが入力されることによって生成される情報識別子取得コードの構成例を示す図である。図１１の例では、第２のコードが、第１のコードにより定まる順番によって並び替えられていたが、本例では、使用セル情報が第１のコードにより定まる順番によって並び替えられている。
【００４０】
次に、本実施の形態における情報識別子を取得するためのシステムの構成例について説明する。
【００４１】
図１３は、本実施の形態における情報識別子を取得するためのシステムの構成例を示すブロック図である。
【００４２】
入力手段１３０４は、キーボードや、ポインティングデバイスなどの入力装置である。入力手段１３０４から入力された情報は第１コード受付インターフェイス１３０１、または第２コード受付インターフェイス１３０５に渡される。第１コード受付インターフェイス１３０１は、たとえば図９（Ａ）に示すようなインターフェイスである。使用セル位置及び順番判定部１３０２は、第１コード受付インターフェイス１３０１から第１のコードを取得し、第１コード変換テーブル１３０３を参照して、使用セル位置及び順番の情報を取得する。使用セル位置及び順番判定部１３０２は、使用セル位置及び順番の情報をコード生成部１３０７に渡す。
【００４３】
第２コード受付インターフェイス１３０５は、たとえば図９（Ｂ）に示すような第２のコードを受け付けるためのインターフェイスである。入力データ取得部１３０６は、第２コード受付インターフェイス１３０５から入力されたデータを取得し、たとえば「１」「２」「３」「４」のようにデータを生成する。
【００４４】
コード生成部１３０７は、使用セル位置及び順番判定部１３０２および入力データ取得部１３０６からそれぞれ出力されたデータを受け取り、これらデータを用いて情報識別子取得コードを生成する。
【００４５】
コード生成部１３０７は、情報識別子取得コードを情報識別子変換部１３０８に渡す。情報識別子変換部１３０８は、変換テーブル１３０９を参照して情報識別子取得コードに対応する情報識別子を取得し、これを出力する。変換テーブル１３０９は、第１の実施の形態において述べたところと同様に、情報識別子取得コードと情報識別子との一対一の対応関係を記録したテーブルである。このテーブル１３０９は、図５あるいは図６に示す変換テーブルのようであってよい。
【００４６】
さて、図１３に示すところのシステムは、ユーザが用いるクライアントと、このクライアントが接続可能なＷＷＷ（ｗｏｒｌｄ　ｗｉｄｅ　ｗｅｂ）などのネットワークとにより構成されてもよい。図１４は、クライアントとネットワークにより構成された本実施の形態にかかる情報取得システムの構成例を示すブロック図である。
【００４７】
クライアントには、図１３において説明したところの入力手段１３０４、第１コード受付インターフェイス１３０１、第２コード受付インターフェイス１３０５、使用セル位置及び順番判定部１３０２、入力データ取得部１３０６、コード生成部１３０７とともに、情報識別子変換部１３０８から情報識別子を受け取り、この情報識別子をネットワーク上に送信して、情報識別子により指定される情報（たとえばＨＴＭＬにより記述されたＷｅｂ文書データ）を取得し、これを表示手段１４０２に表示させるブラウザ１４０１を有している。
【００４８】
一方、ネットワーク上には第１コード変換テーブル１３０１、変換テーブル１３０９、情報識別子変換部１３０８が設けられる。
【００４９】
このようなネットワークを利用した構成とすることにより、ネットワーク上に存在する膨大な種類の情報を、少ない入力手数（たとえば、マトリクスボックス内に４つの数字を入力するという手数）によって、扱うことが可能となる。
【００５０】
本実施の形態によれば、使用セル位置及び入力データに加えて、セルの順番を情報識別子取得コードの生成に反映させるので、第１の実施の形態に比べてさらに多くの種類の情報を、扱うことが可能となる。
【００５１】
［第３の実施の形態］
第２の実施の形態において、第１のコードにより使用セル位置及び順番を決定しこれを情報識別子取得コードの生成に用いたが、本実施の形態では、ユーザのキーボードによる入力を第１のコードの代わりに利用する。
【００５２】
図１５は、本実施の形態における使用セル位置及び順番の決定方法を説明するための図である。マトリクスボックス１５０１は、入力手段であるキーボード１５０２の各ボタンに対応するようになっている。たとえば、ボタン「１」はセル「Ａ１」に対応し、ボタン「２」はセル「Ｂ１」に対応し、…、ボタン「９」はセル「Ｃ３」に対応する。
【００５３】
ユーザは、使用するセルに対応するボタンを任意の順番に押すことにより、使用セル位置及び順番の情報を生成することができる。たとえば、図１５に示すようにボタン「７」「５」「３」「１」が順に押下されると、これに対応するように使用セル位置及び順番の情報「Ａ３」「Ｂ２」「Ｃ１」「Ａ１」が生成される。この情報は、図１２（Ａ）（Ｂ）に示す例と同様に、使用セル位置情報に順番が反映されたものとなっている。
【００５４】
この使用セル位置及び順番の情報は、コード生成部に渡されそのまま情報識別子取得コードの生成に用いられる。
【００５５】
なお、本実施の形態では、第１コード変換テーブルを用意する必要はなくなり、システムの構成を簡素化することが可能となる。
【００５６】
【発明の効果】
ユーザの入力手数に比較して、入力手数から得られる組み合わせ数よりも大きな種類の情報を扱うことが可能な情報入手システムを得ることができる。
【図面の簡単な説明】
【図１】（Ａ）は、ユーザ（に提示される本システムのコード表示であり、（Ｂ）は（Ａ）のコードを入力した状態での、情報処理装置が表示する入力インターフェイス画面例である。
【図２】（Ａ）は、マトリクスボックスにコードが入力されることによって生成される情報識別子取得コードの構成例を示す図であり、（Ｂ）は、図１（Ｂ）の入力例に対応する情報識別子取得コードの例を示す図である。
【図３】３×３のマトリクスを用いる場合、１のセルのみを使用する場合から９つのセル全部を使用する場合に使用可能な組み合わせ数を示す表である。
【図４】上記情報識別子取得コードを用いて情報識別子を取得するためのシステムの構成例を示すブロック図である。
【図５】３×３のマトリクスに４つの数字を用いる場合の変換テーブルの構成例を示している。
【図６】３×３のマトリクスに１つから９つの数字のすべてを用いる場合の変換テーブルの構成例を示している。
【図７】クライアントとネットワークにより構成された本実施の形態にかかる情報取得システムの構成例を示すブロック図である。
【図８】ユーザに提示される第２の実施の形態におけるコード表示である。
【図９】図９（Ａ）は、第１のコードを受け付ける入力インターフェイスの例を示す図であり、図９（Ｂ）は、第２のコードを受け付ける入力インターフェイスの例を示す図である。
【図１０】第２の実施の形態におけるコードの入力から情報取得までの概略処理例を示すフロー図である。
【図１１】（Ａ）は、第１及び第２のコードが入力されることによって生成される情報識別子取得コードの構成例を示す図であり、（Ｂ）は、図８の入力例に対応する情報識別子取得コードの例を示す図である。
【図１２】（Ａ）は、図１１に示す例とは異なる第１及び第２のコードが入力されることによって生成される情報識別子取得コードの構成例を示す図であり、（Ｂ）は、図８の入力例に対応する情報識別子取得コードの例を示す図である。
【図１３】本実施の形態における情報識別子を取得するためのシステムの構成例を示すブロック図である。
【図１４】クライアントとネットワークにより構成された第２の実施の形態にかかる情報取得システムの構成例を示すブロック図である。
【図１５】第３の実施の形態における使用セル位置及び順番の決定方法を説明するための図である。
【符号の説明】
４０１　…　入力手段
４０２　…　コード受付インターフェイス
４０３　…　使用セル判定部
４０４　…　入力データ取得部
４０５　…　コード生成部
４０６　…　情報識別子変換部
４０７　…　変換テーブル
７０１　…　ブラウザ
７０２　…　表示手段
【図１】
2004126970.tif 000003
【図２】
2004126970.tif 000004
【図３】
2004126970.tif 000005
【図４】
2004126970.tif 000006
【図５】
2004126970.tif 000007
【図６】
2004126970.tif 000008
【図７】
2004126970.tif 000009
【図８】
2004126970.tif 000010
【図９】
2004126970.tif 000011
【図１０】
2004126970.tif 000012
【図１１】
2004126970.tif 000013
【図１２】
2004126970.tif 000014
【図１３】
2004126970.tif 000015
【図１４】
2004126970.tif 000016
【図１５】
2004126970.tif 000017